(57)【要約】      （修正有）【課題】従来のキッチンペーパーと比較して用途が広範であり、必ずしも使い捨ての使用形態に限定されない新規なロールシート、及び、ロールシートを保持するための新規なロールホルダを提供し、更に、ロールシート及びロールホルダによって構築された新規なロールシート保持構造を提供する。【解決手段】平織の木綿生地からなる帯状のシート１１に、複数のスリットＳからなるミシン目状の切り取り線１２を複数条設け、このシート１１を中空筒状の芯材Ｃに巻き回すことによってロールシート１を構築する。【選択図】図１
0003226626.tif 000002
【実用新案登録請求の範囲】
【請求項１】
帯状のシートが中空筒状の芯材に巻き取られた形態を有するロールシートであって、
前記シートが平織の木綿生地からなり、
前記シートの幅方向に平行な直線上に配列された複数のスリットからなるミシン目状の切り取り線が複数条設けられてなることを特徴とするロールシート。
【請求項２】
請求項１に記載のロールシートにおいて、
隣り合う切り取り線の間隔が、前記シートの幅長に対して±１ｃｍの範囲内となされたロールシート。
【請求項３】
請求項１又は２に記載のロールシートにおいて、
前記シートが岡生地であるロールシート。
【請求項４】
請求項１ないし３のいずれか１項に記載のロールシートにおいて、
前記切り取り線を構成する各スリットの長さが２．０〜１０ｍｍとなされ、隣り合うスリットの間隔が０．５〜１．５ｍｍとなされたロールシート。
【請求項５】
請求項１ないし４のいずれか１項に記載のロールシートを保持するためのロールホルダであって、
基台と、
前記基台に支持された支軸と、
を具備してなり、
更に、支柱部と軒部とがＬ字状に繋がるＬ字治具を具備してなり、
前記支軸に、前記Ｌ字治具の支柱部を出没可能に挿入することができる貫通孔が設けられてなることを特徴とするロールホルダ。
【請求項６】
請求項１ないし４のいずれか１項に記載のロールシートが、請求項５に記載のロールホルダに保持されてなるロールシート保持構造であって、
前記ロールシートの芯材に前記ロールホルダの支軸が挿通された状態、且つ、前記支軸に挿入させた前記Ｌ字治具の内角部分を前記ロールシートの端面と側面とが成す角部に近接させた状態となされたことを特徴とするロールシート保持構造。
【考案の詳細な説明】
【技術分野】
【０００１】
本考案は、帯状のシートが中空筒状の芯材に巻き取られた形態を有するロールシート、前記ロールシートを保持するためのロールホルダ、前記ロールシート及び前記ロールホルダによって構築されたロールシート保持構造に関する。
【背景技術】
【０００２】
一般に、「キッチンペーパー」と称される台所用品は、パルプ繊維をシート状に加工した厚手の紙シートであり、主に台所における「拭き取り」、「吸油」、「灰汁取り」、「ろ過」などの作業を行う際に使用されている。
【０００３】
現在、このキッチンペーパーとしては、帯状の紙シートが中空筒状の芯材に巻き取られたロール状の商品形態となされたものが多い。この種のキッチンペーパーは、使用時に用途に応じた長さ分を引き出して切り取る使用態様のため、紙シートの幅方向に沿って複数条の切り取り線（ミシン目）が設けられたものが一般的となっている（例えば、下記特許文献１参照。）。
【先行技術文献】
【特許文献】
【０００４】
【特許文献１】特開２０２０‐００２５１２号公報
【考案の概要】
【考案が解決しようとする課題】
【０００５】
しかしながら、紙シートからなるキッチンペーパーは、水気を含む食品を包んで絞る等のある程度の強度を必要とする作業には不向きであった。又、キッチンペーパーは食品に触れる台所用品であることから、使い捨てを前提とした商品であるにもかかわらず、再生紙ではなくバージンパルプと称される新規のパルプ原料から製造されていた。
【０００６】
本考案は前記技術的課題に鑑みて開発されたものであり、従来のキッチンペーパーと比較して用途が広範であり、必ずしも使い捨ての使用形態に限定されない新規なロールシート、前記ロールシートを保持するための新規なロールホルダ、前記ロールシート及び前記ロールホルダによって構築された新規なロールシート保持構造を提供することを目的とする。
【課題を解決するための手段】
【０００７】
前記技術的課題を解決する本考案のロールシートは、帯状のシートが中空筒状の芯材に巻き取られた形態を有するロールシートであって、前記シートが平織の木綿生地からなり、前記シートの幅方向に平行な直線上に配列された複数のスリットからなるミシン目状の切り取り線が複数条設けられてなることを特徴とする（以下、「本考案ロールシート」と称する。）。
【０００８】
前記本考案ロールシートにおいては、隣り合う切り取り線の間隔が、前記シートの幅長に対して±１ｃｍの範囲内となされたものが好ましい態様となる。
【０００９】
前記本考案ロールシートにおいては、前記シートが岡生地であるものが好ましい態様となる。
【００１０】
前記本考案ロールシートにおいては、前記切り取り線を構成する各スリットの長さが２．０〜１０ｍｍとなされ、隣り合うスリットの間隔が０．５〜１．５ｍｍとなされたものが好ましい態様となる。
【００１１】
前記技術的課題を解決する本考案のロールホルダは、前記本考案ロールシートを保持するためのロールホルダであって、基台と、前記基台に支持された支軸と、を具備してなり、更に、支柱部と軒部とがＬ字状に繋がるＬ字治具を具備してなり、前記支軸に、前記Ｌ字治具の支柱部を出没可能に挿入することができる貫通孔が設けられてなることを特徴とする（以下、「本考案ホルダ」と称する。）。
【００１２】
前記技術的課題を解決する本考案のロールシート保持構造は、前記本考案ロールシートが、前記本考案ホルダに保持されてなるロールシート保持構造であって、前記ロールシートの芯材に前記ロールホルダの支軸が挿通された状態、且つ、前記支軸に挿入させた前記Ｌ字治具の内角部分を前記ロールシートの端面と側面とが成す角部に近接させた状態となされたことを特徴とする（以下、「本考案保持構造」と称する。）。
【考案の効果】
【００１３】
本考案によれば、従来のキッチンペーパーと比較して用途が広範となり、又、必ずしも使い捨ての使用形態に限定されず、繰り返しの使用も可能となる。
【図面の簡単な説明】
【００１４】
【図１】図１は、本考案ロールシートの一実施形態を一部拡大して示す斜視図である。
【図２】図２は、本考案ホルダの一実施形態を示す斜視図である。
【図３】図３（ａ）、（ｂ）は、前記本考案ホルダにて前記本考案ロールシートを保持させることによって本考案保持構造を構築する手順を示す斜視図である。
【図４】図４は、前記本考案構造に備えられた前記本考案シートを切り取り線に沿って切断する様子を示す斜視図である。
【図５】図５（ａ）は、本考案ホルダの他の実施形態を示す斜視図であり、図５（ｂ）は、前記本考案ホルダに前記本考案ロール使途を保持させることによって構築した本考案保持構造を示す斜視図である。
【考案を実施するための形態】
【００１５】
以下、本考案の実施形態を説明するが、本考案はこれらの実施形態に限定されるものではない。
【００１６】
＜本考案ロールシート１＞
図１に、本考案ロールシート１の一実施形態を示す。本考案ロールシート１は、帯状のシート１１が中空筒状の芯材（Ｃ）に巻き取られた形態を有する。又、前記シート１１には、複数条の切り取り線１２が設けられている。
【００１７】
‐シート１１‐
前記シート１１は、平織の木綿生地からなる。本実施形態においては、前記シート１１として、３０番手の木綿糸を平織した岡生地（未脱色、幅長（Ｘ）３５ｃｍ、全長７００ｃｍ）を用いた。
【００１８】
‐切り取り線１２‐
前記切り取り線１２は、前記シート１１の幅方向に平行な直線上に配列された複数のスリット（Ｓ）の集合体であり、ミシン目状の形態を有する。本実施形態においては、前記切り取り線１２を形成するにあたり、各スリット（Ｓ）の長さ（ｍ）を６．０ｍｍ、隣り合うスリット（Ｓ）の間隔（ｎ）を１．０ｍｍに設定した。又、本実施形態においては、前記切り取り線１２の間隔（Ｙ）につき前記シート１１の幅長（Ｘ）と同じ長さ（３５ｃｍ）に設定した。
【００１９】
＜本考案ホルダ２＞
図２に、本考案ホルダ２の一実施形態を示す。前記本考案ホルダ２は、前記本考案ロールシートを保持するためのものであり、基台２１と、支軸２２と、Ｌ字治具２３と、を具備する。
【００２０】
‐基台２１‐
前記基台２１は、前記本考案ホルダ２のフレームや外郭等の基礎をなす役割を担う。本実施形態においては、前記基台２１として、矩形に加工された木材を用いた。
【００２１】
‐支軸２２‐
前記支軸２２は、前記基台２１に支持された棒状の部材である。本実施形態においては、前記支軸２２として木製の丸棒を用い、この丸棒の下端を前記基台２１の中央に固定し、前記基台２１に対して垂直方向に屹立させることによって前記支軸２２を構築した。なお、前記支軸２２の上端部側には、前記支軸２２を貫通する貫通孔（角孔）２４が設けられている。
【００２２】
‐Ｌ字治具２３‐
前記Ｌ字治具２３は、支柱部２３１と軒部２３２とがＬ字状に繋がる全体形状を有する。本実施形態においては、前記Ｌ字治具２３として、Ｌ字状に屈曲加工された金属棒（角棒）を用いた。前記Ｌ字治具２３は、前記支軸２２に設けられた前記貫通孔２４に対し、前記支柱部２３１を出没可能に挿入することができる寸法となされている。
【００２３】
＜本考案保持構造１０＞
図３に本考案保持構造１０の一実施形態を示す。前記本考案保持構造１０は、前記本考案ロールシート１が本考案ホルダ２に保持されたものである。
【００２４】
前記本考案保持構造１０を構築するにあたっては、まず、前記本考案ロールシート１の芯材（Ｃ）に前記本考案ホルダ２の支軸２２を挿通する（図３（ａ）参照）。この状態で、前記支軸２２に設けられた前記貫通孔２４に前記Ｌ字治具２３の支柱部２３１を挿入すれば、前記本考案保持構造１０が構築される（図３（ｂ）参照）。なお、本実施形態においては、前記貫通孔２４が前記本考案ロールシート１の幅長（Ｘ）に応じた高さに設けられている。従って、前記本考案ロールシート１の芯材（Ｃ）に前記本考案ホルダ２の支軸２２が挿通された状態で前記貫通孔２４に前記Ｌ字治具２３の支柱部２３１を挿入すれば、前記Ｌ字治具２３の内角部分（前記支柱部２３１及び前記軒部２３２の内面）を前記本考案ロールシート１の端面と側面とが成す角部に近接させた状態とすることができる。
【００２５】
前記構成を有する前記本考案保持構造１０は、前記本考案ホルダ２に保持された前記本考案ロールシート１について、前記切り取り線１２を介して切断し易くするための役割も担う。図４に示すように、前記本考案保持構造１０から前記本考案ロールシート１を引き出し、前記切り取り線１２に沿って前記Ｌ字治具２３をあてがい、ここを切り取り作業の始点として利用すれば、前記本考案ロールシート１を容易に切断することができることが確認されている。
【００２６】
そして、前記本考案ロールシート１から切り取られたシート１１は平織の木綿生地であり、従来のキッチンペーパーとして用いられていた紙シートと比較して剛性が高い。そのため、水気を含む食品を包んで絞る等のある程度の強度を必要とする作業にも適用することができる。これより、前記本考案ロールシート１は、従来のキッチンペーパーと比較して用途が広範となる。
【００２７】
又、前記本考案ロールシート１から切り取られたシート１１は、必ずしも使い捨ての使用形態に限定されず、使用後に水洗いしたり洗濯したりすることによって複数回使用することも可能である。
【００２８】
ところで、本実施形態においては、前記本考案ロールシート１を構成する前記シート１１につき木綿糸を平織した岡生地を用いているが、前記シート１１の素材は平織の木綿生地であれば特に限定されない。前記シート１１を構成するための他の生地としては、例えば、文生地、特文生地、特岡生地などを挙げることができ、脱色処理や染色処理の有無は問われない。
【００２９】
又、本実施形態においては、前記本考案ロールシート１を構成する前記シート１１につき、幅長（Ｘ）３５ｃｍｍ、全長７００ｃｍｍの寸法のものを用いているが、前記シート１１の寸法は特に限定されない。更に、前記シート１１に設ける前記切り取り線１２の間隔（Ｙ）や、前記切り取り線１２を構成するスリット（Ｓ）の寸法（長さ（ｍ）、間隔（ｎ））についても特に限定されない。
【００３０】
但し、隣り合う切り取り線１２の間隔（Ｙ）につき、前記シートの幅長（Ｘ）に対して±１ｃｍの範囲内とすれば、切り取られたシート１１が略正方形となって、適用の範囲や利便性が向上することが確認されている。
【００３１】
又、前記切り取り線１２を構成する各スリット（Ｓ）の長さ（ｍ）につき２．０〜１０ｍｍ（より好ましくは、６±１ｍｍ）の範囲とし、且つ、隣り合うスリット（Ｓ）の間隔（ｎ）につき０．５〜１．５ｍｍ（より好ましくは、１±０．２ｍｍ）の範囲とすれば、前記本考案ロールシート１の使用時における切断が容易になる一方で、製造工程中の不要の切断が生じ難くなることが確認されている。
【００３２】
そして、本実施形態においては、前記本考案ホルダ２に設けられた前記Ｌ字治具２３を利用して前記本考案ロールシート１からシート１１を切断しているが、前記本考案ロールシート１の切断手段は、必ずしもこの手段に限定されるものではない。例えば、前記本考案ロールシート１を前記本考案ホルダ２に保持させることなく、前記切り取り線１２のみを利用した手作業にてシート１１を切断しても良い。
【００３３】
又、本実施形態においては前記本考案ホルダ２の形態につき、図２に示すようなスタンド式（据え置き型）の様式のものを用いたが、本考案ホルダ２の形態はこの様式に限られない。例えば、図５（ａ）に示すような形態の本考案ホルダ２を用い、戸棚下部の空きスペースなどを利用して取り付ける設置式の様式としても良い。  
【００３４】
なお、本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【産業上の利用可能性】
【００３５】
本考案は、キッチンペーパーに替わる台所用品などとして好適に用いられる。
【符号の説明】
【００３６】
１  本発明ロールシート（ロールシート）
１１  シート
１２  切り取り線
Ｓ  スリット
２  本発明ホルダ（ロールホルダ）
２１  基台
２２  支軸
２３  Ｌ字治具
２４  貫通孔
１０  本考案保持構造（ロールシート保持構造）
【図１】
0003226626.tif 000003
【図２】
0003226626.tif 000004
【図３】
0003226626.tif 000005
【図４】
0003226626.tif 000006
【図５】
0003226626.tif 000007
【手続補正書】
【提出日】令和2年4月14日(2020.4.14)
【手続補正１】
【補正対象書類名】実用新案登録請求の範囲
【補正対象項目名】全文
【補正方法】変更
【補正の内容】
【実用新案登録請求の範囲】
【請求項１】
帯状のシートが中空筒状の芯材に巻き取られた形態を有するロールシートであって、
前記シートが平織の木綿生地からなり、
前記シートの幅方向に平行な直線上に配列された複数のスリットからなるミシン目状の切り取り線が複数条設けられてなることを特徴とするロールシート。
【請求項２】
請求項１に記載のロールシートにおいて、
隣り合う切り取り線の間隔が、前記シートの幅長に対して±１ｃｍの範囲内となされたロールシート。
【請求項３】
請求項１又は２に記載のロールシートにおいて、
前記シートが岡生地であるロールシート。
【請求項４】
請求項１ないし３のいずれか１項に記載のロールシートにおいて、
前記切り取り線を構成する各スリットの長さが２．０〜１０ｍｍとなされ、隣り合うスリットの間隔が０．５〜１．５ｍｍとなされたロールシート。
【請求項５】
請求項１ないし４のいずれか１項に記載のロールシートを保持するためのロールホルダであって、
基台と、
前記基台に支持された支軸と、
を具備してなり、
更に、支柱部と軒部とがＬ字状に繋がるＬ字治具を具備してなり、
前記支軸に、前記Ｌ字治具の支柱部を出没可能に挿入することができる貫通孔が設けられてなることを特徴とするロールホルダ。
【請求項６】
請求項１ないし４のいずれか１項に記載のロールシートが、請求項５に記載のロールホルダに保持されてなるロールシート保持構造体であって、
前記ロールシートの芯材に前記ロールホルダの支軸が挿通された状態、且つ、前記支軸に挿入させた前記Ｌ字治具の内角部分を前記ロールシートの端面と側面とが成す角部に近接させた状態となされたことを特徴とするロールシート保持構造体。